(57)【特許請求の範囲】
【請求項１】
複数の建物が密集した地域に対する防犯性評価に用いられる防犯マップであって、
街路を示す街路表示領域が、前記街路に面して配置される前記複数の建物のそれぞれの宅地毎に区画され、当該区画された領域毎に防犯性評価値が表示されており、
前記防犯性評価値は、前記複数の建物のうち前記街路に面して配置される建物の前記街路に面する開口部の数を、当該建物の宅地の前記街路に面する間口寸法を示す値で除した値であることを特徴とする防犯マップ。
【請求項２】
請求項１に記載の防犯マップにおいて、
前記防犯性評価値は、前記街路表示領域の長さ方向において、前記街路の所定の基準寸法に対応する長さ毎に表示されていることを特徴とする防犯マップ。
【請求項３】
請求項１又は２に記載の防犯マップにおいて、
前記街路表示領域は、前記防犯性評価値に応じて色分けされていることを特徴とする防犯マップ。
【請求項４】
請求項１から３のいずれか一項に記載の防犯マップにおいて、
前記防犯性評価値は、前記複数の建物の階層毎に表示されていることを特徴とする防犯マップ。
【請求項５】
請求項１から４のいずれか一項に記載の防犯マップにおいて、
複数の前記街路に応じて前記街路表示領域が複数並列に配置されて表示されていることを特徴とする防犯マップ。
【請求項６】
請求項１から５のいずれか一項に記載の防犯マップにおいて、
前記防犯性評価値は、前記街路の幅方向両側に面して配置される前記複数の建物のそれぞれの宅地毎に表示され、
前記街路表示領域には、当該街路表示領域の長さ方向において、前記街路の所定の基準寸法に対応する長さ毎に、前記街路の幅方向両側の前記防犯性評価値の合計値が表示されていることを特徴とする防犯マップ。
【発明の詳細な説明】
【技術分野】
【０００１】
本発明は、防犯マップに関する。
【背景技術】
【０００２】
近年、複数の建物が密集する地域、例えば住宅地域における事件や事故の発生が増加傾向にあり、そのような地域においては住民の防犯対策に対する意識が高まっている。
【０００３】
このような状況下においては、様々な防犯対策が採用されているが、特に、近隣住民同士が一体となって不審者を監視し合うことにより犯罪の発生を未然に防止しようとする試みが広く行われている。
【０００４】
このような防犯対策に関する技術としては、例えば、防犯性評価対象となる建物において、当該建物に面する街路の幅や通行量、当該建物が立設されている敷地の形状、当該建物に設けられている窓や柵、植え込みといった様々な情報に基づいて、街路を通行する通行人から当該建物のいずれの部分が視認されやすいかといった情報を導出し、これを出力することができるシステムが提供されている（例えば、特許文献１参照）。
【先行技術文献】
【特許文献】
【０００５】
【特許文献１】特開２０１２−４３２７８号公報
【発明の概要】
【発明が解決しようとする課題】
【０００６】
しかしながら、上記した従来の技術によれば、街路に面する建物毎の防犯性を限定的に評価できるのみであり、複数の建物が面している街路全体、更には当該街路周辺における防犯性を評価することはできない。
【０００７】
そこで、本発明は、複数の建物が面している街路全体における防犯性を視覚的に評価することができる防犯マップを提供することを目的としている。
【課題を解決するための手段】
【０００８】
上記課題を解決するために、請求項１に記載の発明は、例えば図１〜図５に示すように、
複数の建物が密集した地域に対する防犯性評価に用いられる防犯マップ２００であって、
街路１０１〜１０４を示す街路表示領域２０１〜２０４が、前記街路１０１〜１０４に面して配置される前記複数の建物のそれぞれの宅地毎に区画され、当該区画された領域毎に防犯性評価値が表示されており、
前記防犯性評価値は、前記複数の建物のうち前記街路１０１〜１０４に面して配置される建物の前記街路１０１〜１０４に面する開口部の数を、当該建物の宅地の前記街路１０１〜１０４に面する間口寸法を示す値で除した値であることを特徴とする。
【０００９】
請求項１に記載の発明によれば、街路１０１〜１０４を示す街路表示領域２０１〜２０４が、街路１０１〜１０４に面して配置される複数の建物のそれぞれの宅地毎に区画され、当該区画された領域毎に防犯性評価値が表示されているので、街路１０１〜１０４の全体に亘って視覚的な防犯性評価を容易に行うことができる。また、街路全体における防犯性評価を容易に行えるので、近隣の宅地と比較して相対的に防犯性が低いと判断される宅地に建てられる建物に対して事前に防犯対策を施すことができ、未然に犯罪の発生を防止することができる。そのような防犯対策として、具体的には、例えば、面格子等による開口部の強化や、防犯カメラの設置等の対策が挙げられる。また、建物を新築する場合には、例えば、当該建物の街路１０１〜１０４に面する開口部の数や寸法を調整する等の対策を施すこともできる。
【００１１】
また、請求項１に記載の発明によれば、防犯性評価値が、複数の建物のうち街路１０１〜１０４に面して配置される建物の街路１０１〜１０４に面する開口部の数を、当該建物の宅地の街路１０１〜１０４に面する間口寸法を示す値で除した値であるので、防犯性評価値の導出及びその比較が容易であり、街路１０１〜１０４の防犯性評価の判断をより容易にすることができる。
【００１２】
請求項２に記載の発明は、例えば図２〜図５に示すように、請求項１に記載の防犯マップ２００において、
前記防犯性評価値は、前記街路表示領域２０１〜２０４の長さ方向において、前記街路１０１〜１０４の所定の基準寸法に対応する長さ毎に表示されていることを特徴とする。
【００１３】
請求項２に記載の発明によれば、防犯性評価値が、街路表示領域２０１〜２０４の長さ方向において、街路１０１〜１０４の所定の基準寸法に対応する長さ毎に表示されているので、実際の街路１０１〜１０４の延在方向における各位置の防犯性評価を容易に行うことができる。
【００１４】
請求項３に記載の発明は、例えば図２〜図５に示すように、請求項１又は２に記載の防犯マップ２００において、
前記街路表示領域２０１〜２０４は、前記防犯性評価値に応じて色分けされていることを特徴とする。
【００１５】
請求項３に記載の発明によれば、街路表示領域２０１〜２０４が、防犯性評価値に応じて色分けされているので、街路１０１〜１０４の視覚的な防犯性評価をより容易に行うことができる。
【００１６】
請求項４に記載の発明は、例えば図２〜図５に示すように、請求項１から３のいずれか一項に記載の防犯マップ２００において、
前記防犯性評価値は、前記複数の建物の階層毎に表示されていることを特徴とする。
【００１７】
請求項４に記載の発明によれば、防犯性評価値が、複数の建物の階層毎に表示されているので、建物の高層階部分についての防犯性評価値よりも、建物の低層階部分についての防犯性評価値を重要視して防犯性評価を行うことができ、より正確な防犯性評価を行うことができる。
【００１８】
請求項５に記載の発明は、例えば図２〜図５に示すように、請求項１から４のいずれか一項に記載の防犯マップ２００において、
複数の前記街路１０１〜１０４に応じて前記街路表示領域２０１〜２０４が複数並列に配置されて表示されていることを特徴とする。
【００１９】
請求項５に記載の発明によれば、複数の街路１０１〜１０４に応じて街路表示領域２０１〜２０４が複数並列に配置されて表示されているので、複数の街路１０１〜１０４の防犯性をそれぞれ比較することができるとともに、当該街路１０１〜１０４周辺における防犯性評価を行うことができる。また、複数の街路１０１〜１０４を比較することができるため、街路１０１〜１０４の改善にも用いることができる。
【００２０】
請求項６に記載の発明は、例えば図２〜図５に示すように、請求項１から５のいずれか一項に記載の防犯マップ２００において、
前記防犯性評価値は、前記街路１０１〜１０４の幅方向両側に面して配置される前記複数の建物のそれぞれの宅地毎に表示され、
前記街路表示領域２０１〜２０４には、当該街路表示領域２０１〜２０４の長さ方向において、前記街路１０１〜１０４の所定の基準寸法に対応する長さ毎に、前記街路１０１〜１０４の幅方向両側の前記防犯性評価値の合計値が表示されていることを特徴とする。
【００２１】
請求項６に記載の発明によれば、防犯性評価値は、街路１０１〜１０４の幅方向両側に面して配置される複数の建物のそれぞれの宅地毎に表示され、街路表示領域２０１〜２０４には、街路表示領域２０１〜２０４の長さ方向において、街路１０１〜１０４の所定の基準寸法に対応する長さ毎に、街路１０１〜１０４の幅方向両側の防犯性評価値の合計値が表示されているので、街路１０１〜１０４の幅方向両側に配置される建物を考慮して防犯性評価を行うことができ、街路１０１〜１０４の防犯性評価をより正確に行うことができる。
【発明の効果】
【００２２】
本発明によれば、街路を示す街路表示領域が、当該街路に面する建物のそれぞれの宅地毎に区画され、当該区画された領域毎に防犯性評価値が示されているので、複数の建物が面している街路全体における防犯性を視覚的に評価することができる。
【図面の簡単な説明】
【００２３】
【図１】本発明の防犯マップに対応する地図を示す図である。
【図２】本発明の防犯マップの左下部分を示す図である。
【図３】本発明の防犯マップの右下部分を示す図である。
【図４】本発明の防犯マップの左上部分を示す図である。
【図５】本発明の防犯マップの右上部分を示す図である。
【発明を実施するための形態】
【００２４】
以下、図面を参照して本発明の実施の形態について説明する。ただし、以下に述べる実施の形態には、本発明を実施するために技術的に好ましい種々の限定が付されているが、発明の範囲を以下の実施形態及び図示例に限定するものではない。
【００２５】
図１〜図５を参照して本発明の防犯マップ２００について説明する。
図１は、本発明の防犯マップ２００に対応する地図１００を示した図である。図２〜図５は、それぞれ本発明の防犯マップ２００を便宜上四分割したうちの１つを示した図であり、図２は防犯マップ２００の左下部分、図３は防犯マップ２００の右下部分、図４は防犯マップ２００の左上部分、図５は防犯マップ２００の右上部分を示している。つまり、図２〜図５に示す各防犯マップ２００を全て組み合わせることで、１つの防犯マップ２００が構成される。
【００２６】
地図１００は、従来公知の一般的な地図であって、所定の住宅地域を示した地図である。当該地図１００には、略東西方向に延びる４本の街路１０１〜１０４が表示されており、それら４本の街路１０１〜１０４に対応する位置には、それぞれ矩形の枠線で囲まれた「１」〜「４」の街路番号が付されている。また、地図１００において、街路１０１〜１０４の両側には各街路１０１〜１０４に沿って複数の住宅等の建物が配置され、各建物にはそれぞれ円形の枠線で囲まれた「１」〜「８２」の建物番号が付されている。
【００２７】
本発明の防犯マップ２００は、上記した地図１００に対応して作成されたものである。
【００２８】
防犯マップ２００は、図２〜図５に示されているとおり、防犯マップ２００上で横方向に延びる帯状の街路表示領域２０１〜２０４と、当該街路表示領域２０１〜２０４の幅方向両側において当該街路表示領域２０１〜２０４の長さ方向に沿って表示されている宅地表示領域２１１〜２１４と、から構成されている。
なお、図２〜図５において、防犯マップ２００の横方向両端に表示されている矩形の枠線で囲まれた「１」〜「４」の番号は、図１に示す地図１００に表示されている街路番号「１」〜「４」に対応している。これにより、ユーザーは、地図１００と防犯マップ２００を参照して、防犯マップ２００に示される各街路表示領域２０１〜２０４が、それぞれ、地図１００上に示されている街路１０１〜１０４に対応していることを認識することができる。
【００２９】
街路表示領域２０１〜２０４は、それぞれ地図１００に表示されている街路１０１〜１０４に対応し、図示例では、各街路１０１〜１０４のうちの所定範囲を示している。すなわち、図２〜図５に示す防犯マップ２００では、街路表示領域２０１は、街路１０１の交差点１０１Ａから交差点１０１Ｂまでの範囲を表しており、街路表示領域２０２は、街路１０２の交差点１０２Ａから交差点１０２Ｂまでの範囲を表しており、街路表示領域２０３は、街路１０３の交差点１０３Ａから交差点１０３Ｂまでの範囲を表しており、街路表示領域２０４は、街路１０４の交差点１０４Ａから交差点１０４Ｂまでの範囲を表している。
【００３０】
街路表示領域２０１〜２０４の横方向（長さ方向）の長さは、実際の街路１０１〜１０４の延在方向における長さに対して所定の縮尺で表されている。街路表示領域２０１〜２０４の縦方向両端には、横方向において所定の長さ毎に目盛が付されていることが好ましく、例えば、当該目盛の一つ分の間隔は、基準寸法である１モジュール分を示すものである。なお、基準寸法である１モジュールは、例えば、９１０ｍｍを示すものである。
また、街路表示領域２０１〜２０４の縦方向（幅方向）の長さは、実際の街路１０１〜１０４の幅方向の長さに対応しているものではなく、防犯マップ２００上で街路表示領域２０１〜２０４が見やすいように表示されていればいずれの長さであっても良い。
【００３１】
このように表示されている街路表示領域２０１〜２０４には、それぞれ、防犯性評価値としての視線輻射量が表示されている。視線輻射量については後述する。
【００３２】
宅地表示領域２１１は、街路表示領域２０１に沿って、当該街路表示領域２０１の縦方向上側及び下側に表示されている。宅地表示領域２１１は、街路表示領域２０１で表される街路１０１に面して配置される複数の宅地に対応している。つまり、宅地表示領域２１１のうち街路表示領域２０１よりも下側の部分は、街路１０１の南側に面する複数の宅地に対応し、宅地表示領域２１１のうち街路表示領域２０１よりも上側の部分は、街路１０１の北側に面する複数の宅地に対応している。
【００３３】
宅地表示領域２１１には、当該街路１０１に面して配置される複数の宅地にそれぞれ建てられる建物の建物番号及び当該建物の開口部の数が表示されている。
【００３４】
宅地表示領域２１１に表示されている建物番号は、図１に示す地図１００に表示されている建物番号に対応している。これにより、ユーザーは、地図１００と防犯マップ２００を参照して、防犯マップ２００の宅地表示領域２１１に表示されている建物番号が、それぞれ、地図１００上において建物番号が付されている各建物に対応していることを認識することができる。
【００３５】
宅地表示領域２１１に表示されている開口部の数は、建物の街路１０１に面する窓の数を示している。建物に設けられている窓が、所定の寸法以下の小窓である場合や、すりガラスが嵌め込まれた窓である場合には、図４等に示すように「０．５」としてカウントするものとしても良い。また、宅地表示領域２１１において、開口部の数が「−」で示されている場合には、その建物が当該階層を有していないことを示すものである。
具体的には、例えば、宅地表示領域２１１の建物番号「３」の部分から、当該建物番号「３」の建物は、１階部分における街路１０１に面する開口部の数が「０」であり、２階部分における街路１０１に面する開口部の数が「２」であり、３階部分を有していないことが分かる。
【００３６】
宅地表示領域２１１は、街路１０１に面する複数の建物のそれぞれの宅地毎に区画されているが、当該区画された部分の横方向の長さは、実際の宅地の街路１０１に面する間口寸法に対応し、街路表示領域２０１〜２０４の横方向の長さの縮尺と同じ縮尺で表されたものである。
【００３７】
なお、宅地表示領域２１２〜２１４は、宅地表示領域２１１と同様に表示されているため、説明を省略する。
また、図１に示すように、建物番号「３７」の建物と建物番号「３８」の建物の間には道路が配置されているため、宅地表示領域２１２において建物番号「３７」と「３８」との間には、「−」が表示されている。宅地表示領域２１３における建物番号「４８」と「４９」との間についても同様である。更に、図１に示すように、建物番号「７６」の建物と建物番号「７７」の建物との間には、駐車場や空き地等の建物が建てられていない土地が配置されているため、宅地表示領域２１４において建物番号「７６」と建物番号「７７」との間には、「−」が表示されている。
【００３８】
ここで、街路表示領域２０１〜２０４に示されている、防犯性評価値としての視線輻射量について説明する。なお、視線輻射量とは、建物の開口部から街路に注がれ得る視線の多少を表す指標であって、街路のうちの所定の地点に対して、当該所定の地点に面している建物の開口部から注がれ得る視線を対象としている。
街路表示領域２０１〜２０４は、各街路１０１〜１０４に面して配置される複数の宅地毎に区画され、区画された領域毎に防犯性評価値としての視線輻射量が表示されている。この視線輻射量は、各街路１０１〜１０４の幅方向両側の建物群に対応してそれぞれ表示されており、街路表示領域２０１〜２０４の横方向において、１モジュールに対応する長さ毎に表示されている。街路表示領域２０１〜２０４の幅方向中央には、街路１０１〜１０４の幅方向両側の建物群に対応する視線輻射量の合計値が示されている。この視線輻射量合計値もまた、街路表示領域２０１〜２０４の横方向において、１モジュールに対応する長さ毎に示されている。
【００３９】
視線輻射量は、街路１０１〜１０４に面して配置される各建物の当該街路１０１〜１０４に面する開口部の数を、当該建物の宅地の街路１０１〜１０４に面する間口寸法を示す値で除した値である。以下の説明では、間口寸法を示す値として、モジュール数で表した値を採用している。
【００４０】
具体的には、例えば、宅地表示領域２１１から、建物番号「３」の建物は、街路１０１に面する開口部を総数で２つ有していることが分かる。また、街路表示領域２０１の目盛から、建物番号「３」の建物が建てられている宅地の街路１０１に面する間口寸法は、８モジュールに相当することが分かる。したがって、街路１０１のうち当該建物番号「３」の建物の宅地が面している領域の視線輻射量は、街路１０１に面する開口部の数２を、街路１０１に面する間口寸法を示す値８モジュールで除した値、すなわち、２／８＝０．２５と導出される。よって、街路表示領域２０１のうち建物番号「３」の建物の宅地が面している領域には、「０．２５」が表示されている。
【００４１】
同様に、例えば、宅地表示領域２１１から、建物番号「３」の建物に街路１０１を挟んで対向する建物番号「１６」の建物は、街路１０１に面する開口部を総数で６つ有していることが分かる。また、街路表示領域２０１の目盛から、建物番号「１６」の建物が建てられている宅地の街路１０１に面する間口寸法は、７モジュールに相当することが分かる。したがって、街路１０１のうち当該建物番号「１６」の建物の宅地が面している領域の視線輻射量は、街路１０１に面する開口部の数６を、街路１０１に面する間口寸法を示す値７モジュールで除した値、すなわち、６／７＝０．８６と導出される。よって、街路表示領域２０１のうち建物番号「１６」の建物の宅地が面している領域には、「０．８６」が表示されている。
【００４２】
また、街路表示領域２０１において、建物番号「３」の建物と建物番号「１６」の建物に挟まれた領域の視線輻射量合計値は、０．２５＋０．８６＝１．１１である。よって、街路表示領域２０１において、宅地表示領域２１１の建物番号「３」の部分と建物番号「１６」の部分に挟まれた領域には、「１．１１」が表示されている。
【００４３】
このようにして、各街路表示領域２０１〜２０４の各領域について導出された視線輻射量が記載されている。
このような視線輻射量が街路表示領域２０１〜２０４に示されていることにより、当該街路１０１〜１０４の全体に亘って防犯性を視覚的に評価することができる。例えば、視線輻射量の値が小さい場合には、当該街路１０１〜１０４に面して配置される建物内の居住者や従業員等から視認される可能性が低く、その位置は防犯性が低いと判断することができる。一方、視線輻射量の値が大きい場合には、当該街路１０１〜１０４に面して配置される建物内の居住者や従業員等から視認される可能性が高く、その地点は防犯性が高いと判断することができる。
【００４４】
また、街路表示領域２０１〜２０４の幅方向中央部は、街路１０１〜１０４の幅方向両側の各視線輻射量を合計した視線輻射量合計値の大小に応じて、色分けされていることが好ましい。例えば、視線輻射量合計値が０．１以下と低い値である場合には、当該視線輻射量合計値が記載されている部分が赤系の色や濃い色等で色分けされ、視線輻射量合計値が１以上と高い値である場合には、当該視線輻射量合計値が記載されている部分が青系の色や淡い色等で色分けされる。これにより、街路１０１〜１０４においていずれの位置の防犯性が低いのか又は高いのかを、視覚的に容易に判断することができる。なお、街路表示領域２０１〜２０４の色分けは、視線輻射量の数値の大小が識別しやすいように色分けされていればいずれの色で色分けされていても良い。
【００４５】
また、防犯マップ２００には、図２〜図５に示すように、基点からの距離が記載されていることが好ましい。基点とは、街路１０１〜１０４の延在方向のいずれかの位置であって、任意の位置に設定することができる。図２〜図５に示す例では、基点は、街路１０１〜１０４の各交差点１０１Ａ、１０２Ａ、１０３Ａ、１０４Ａにそれぞれ設定されているものである。基点からの距離とは、設定された基点から当該街路１０１〜１０４の延在方向に沿って測定される距離である。
防犯マップ２００に、基点からの距離が表示されていることにより、各街路１０１〜１０４に面して配置される複数の建物や宅地の寸法、当該建物や宅地同士の距離感等を容易に理解することができ、当該地域の防犯性評価を更に精度良く行うことができる。
【００４６】
また、防犯マップ２００には、各街路表示領域２０１〜２０４の右端部に記載されているように、その街路全体における視線輻射量の合計、及び、単位基準寸法あたりの視線輻射量が更に記載されていることが好ましい。街路全体における視線輻射量の合計とは、各街路１０１〜１０４のそれぞれにおいて、１モジュールに対応する長さ毎に表示されている視線輻射量合計値を全て足し合わせたものである。また、単位基準寸法あたりの視線輻射量とは、街路全体における視線輻射量の合計を、当該街路１０１〜１０４の距離を表すモジュール数で除したものである。
防犯マップ２００に、街路全体における視線輻射量の合計及び単位基準寸法あたりの視線輻射量が表示されていることにより、複数の街路１０１〜１０４の全体の防犯性を一目で容易に把握することができ、他の街路１０１〜１０４との防犯性の比較をより容易に行うことができる。
【００４７】
このように、本発明の防犯マップ２００は、上記した地図１００に対応するものであるが、地図１００に示される内容に応じてその数値やサイズが適宜変更されることは勿論である。
【００４８】
以上、上記した実施形態によれば、街路１０１〜１０４を示す街路表示領域２０１〜２０４が、街路１０１〜１０４に面して配置される複数の建物のそれぞれの宅地毎に区画され、当該区画された領域毎に防犯性評価値が表示されているので、街路１０１〜１０４の全体に亘って視覚的な防犯性評価を容易に行うことができる。また、街路全体における防犯性評価を容易に行えるので、近隣の宅地と比較して相対的に防犯性が低いと判断される宅地に建てられる建物に対して事前に防犯対策を施すことができ、未然に犯罪の発生を防止することができる。そのような防犯対策として、具体的には、例えば、面格子等による開口部の強化や、防犯カメラの設置等の対策が挙げられる。また、建物を新築する場合には、例えば、当該建物の街路１０１〜１０４に面する開口部の数や寸法を調整する等の対策を施すこともできる。
【００４９】
また、防犯性評価値は、複数の建物のうち街路１０１〜１０４に面して配置される建物の街路１０１〜１０４に面する開口部の数を、当該建物の宅地の街路１０１〜１０４に面する間口寸法を示す値で除した値であるので、防犯性評価値の導出及びその比較が容易であり、街路１０１〜１０４の防犯性評価の判断をより容易にすることができる。
【００５０】
また、防犯性評価値は、街路表示領域２０１〜２０４の長さ方向において、街路１０１〜１０４の所定の基準寸法に対応する長さ毎に表示されているので、実際の街路１０１〜１０４の延在方向における各位置の防犯性評価を容易に行うことができる。
【００５１】
また、街路表示領域２０１〜２０４は、防犯性評価値に応じて色分けされているので、街路１０１〜１０４の視覚的な防犯性評価をより容易に行うことができる。
【００５２】
また、複数の街路１０１〜１０４に応じて街路表示領域２０１〜２０４が複数並列に配置されて表示されているので、街路１０１〜１０４の防犯性をそれぞれ比較することができるとともに、当該街路１０１〜１０４周辺における防犯性評価を行うことができる。また、複数の街路１０１〜１０４を比較することができるため、街路１０１〜１０４の改善にも用いることができる。
【００５３】
また、防犯性評価値は、街路１０１〜１０４の幅方向両側に面して配置される複数の建物のそれぞれの宅地毎に表示され、街路表示領域２０１〜２０４には、当該街路表示領域２０１〜２０４の長さ方向において、街路１０１〜１０４の所定の基準寸法に対応する長さ毎に、街路１０１〜１０４の幅方向両側の防犯性評価値の合計値が表示されているので、街路１０１〜１０４の幅方向両側に配置される建物を考慮して防犯性評価を行うことができ、街路１０１〜１０４の防犯性評価をより正確に行うことができる。
【００５４】
なお、上記した実施形態では、防犯マップ２００は、住宅地域に対する防犯性評価に用いられるものとしたが、当該地域内に商店や工場等、住宅以外の建物を多数含む地域に対する防犯性評価に用いられるものとしても良い。
【００５５】
また、上記した実施形態では、建物の街路１０１〜１０４に面する開口部は、街路１０１〜１０４に面する窓であるものとしたが、建物内から街路側を見通すことが可能に構成された部分、例えば、玄関のドアや、街路１０１〜１０４側を向く監視カメラ等を含めるものとしても良い。また、その場合には、開口部の種類を考慮して、防犯性評価値としての視線輻射量を導出するものであっても良い。例えば、窓であれば開口部の数を「１」とカウントし、ドアであれば開口部の数を「０．５」とカウントすること等が挙げられる。
【００５６】
また、上記した実施形態では、建物の街路１０１〜１０４に面する開口部の数のみから、視線輻射量を導出するものとしたが、当該開口部の面積等を考慮して視線輻射量を導出するものとしても良い。例えば、建物の街路１０１〜１０４に面する開口部の面積の合計値を、開口部の数として視線輻射量を導出すること等が挙げられる。
また、所定の寸法を１単位としたとき、開口部の幅方向（街路１０１〜１０４の延在方向）の長さが当該単位寸法の何倍に相当するかを算出し、その値を「開口部の数」としてカウントしても良い。例えば、単位寸法が８００ｍｍであって、建物の街路１０１〜１０４に面する開口部として幅１７００ｍｍの引き違い掃き出しサッシが１つ設けられている場合、当該開口部の幅方向の長さが単位寸法の２倍に相当する長さであるため、「開口部の数」は「２」としてカウントされる。また、例えば、建物の街路１０１〜１０４に面する開口部が２つであったとしても、それら２つの開口部の幅方向の長さの合計が単位寸法の３倍に相当する長さであった場合には、「開口部の数」は「３」としてカウントされる。
【００５７】
また、上記した実施形態では、建物の街路１０１〜１０４に面する開口部の数を当該建物が有している開口部の総数として、視線輻射量が導出されているものであるが、当該建物の街路１０１〜１０４に面する開口部を階層毎にカウントし、階層毎の視線輻射量が導出されるものとしても良い。すなわち、街路表示領域２０１〜２０４には、街路１０１〜１０４の両側に配置される建物群について、それぞれ階層毎に視線輻射量が示されているものとしても良い。この場合には、建物の３階以上の部分の開口部の数から導出される視線輻射量よりも、建物の１階及び２階部分の開口部の数から導出される視線輻射量を重要視して防犯性評価を行う等、より精度の高い防犯性評価を行うことができる。
また、この場合には、街路表示領域２０１〜２０４の幅方向中央に示されている視線輻射量合計値は、街路１０１〜１０４に面して配置される各建物の階層毎の各視線輻射量を全て合計したものとしても良い。
【００５８】
また、上記した実施形態では、街路表示領域２０１〜２０４の幅方向中央に示されている視線輻射量合計値のみ色分けされているものとしたが、街路表示領域２０１〜２０４の幅方向両側に示されている各視線輻射量がその値に応じて色分けされているものとしても良い。また、宅地表示領域２１１〜２１４が、建物の開口部の数や、建物の宅地の街路１０１〜１０４の面する間口寸法に応じて色分けされているものとしても良い。
【００５９】
また、上記した実施形態では、街路表示領域２０１〜２０４に表示されている視線輻射量は、建物の街路１０１〜１０４に面する開口部の数を、宅地の当該街路１０１〜１０４に面する間口寸法を示す値で除したものとし、当該間口寸法を示す値としては、モジュール数で表した値を採用したが、モジュール数以外の別の単位で表した値を採用するものとしても良い。モジュール数以外の別の単位としては、例えば、メートル、インチ等が挙げられる。
【符号の説明】
【００６０】
１００  地図
１０１  街路
１０１Ａ，１０１Ｂ  交差点
１０２  街路
１０２Ａ，１０２Ｂ  交差点
１０３  街路
１０３Ａ，１０３Ｂ  交差点
１０４  街路
１０４Ａ，１０４Ｂ  交差点
２００  防犯マップ
２０１，２０２，２０３，２０４  街路表示領域
２１１，２１２，２１３，２１４  宅地表示領域
【図１】
0006023024.tif 000002
【図２】
0006023024.tif 000003
【図３】
0006023024.tif 000004
【図４】
0006023024.tif 000005
【図５】
0006023024.tif 000006